(57)【特許請求の範囲】
【請求項１】
平板状に形成された磁性体からなる第１のヨークと、
前記第１のヨークと間隔を開けて平行に配置され平板状に形成された磁性体からなる第２のヨークと、
前記第１のヨークと前記第２のヨークとの間に平行に配置されるダイヤフラムと、
前記第１のヨークのダイヤフラム側に配置され、磁極を前記ダイヤフラム側に向けると共にＮ極とＳ極とが第１の方向に沿って交互に設けられた第１の磁石列と、前記第１の磁石列と平行に設けられ磁極を前記ダイヤフラム側に向けると共にＮ極とＳ極とが前記第１の方向に沿って交互に設けられ、かつ前記第１の磁石列とは互いに隣接する磁極が異なる第２の磁石列と、から構成される第１の磁石群と、
前記第２のヨークのダイヤフラム側に配置され、磁極を前記ダイヤフラム側に向けると共にＮ極とＳ極とが前記第１の方向に沿って交互に設けられた第３の磁石列と、前記第３の磁石列と平行に設けられ磁極を前記ダイヤフラム側に向けると共にＮ極とＳ極とが前記第１の方向に沿って交互に設けられ、かつ前記第３の磁石列とは互いに隣接する磁極が異なる第４の磁石列と、から構成され、前記第１の磁石群の前記第１の方向とは直交する方向に接近して設けられる第２の磁石群と、
前記ダイヤフラムに設けられ、前記第１の磁石群及び前記第２の磁石群の互いに隣接するＮ極とＳ極との間の磁界の方向と交差する方向に延びる導体と、
前記第１のヨーク及び前記第２のヨークの少なくとも一方に設けられ、前記ダイヤフラムが振動して発生する音を通過させる貫通孔と、
を備えた平面型音響変換装置であって、
前記第１のヨーク及び前記第２のヨークの少なくとも一方には、前記第１の磁石群、及び前記第２の磁石群の少なくとも一方と対向して配置され、前記第１の磁石群のＮ極とＳ極、及び前記第２の磁石群のＮ極とＳ極の少なくとも１つと対向して反発力を得る反発用磁石が設けられている、ことを特徴とする平面型音響変換装置。
【請求項２】
前記反発用磁石は、前記第１のヨーク及び前記第２のヨークの少なくとも一方の略中央部分に複数設けられている、ことを特徴とする請求項１に記載の平面型音響変換装置。
【発明の詳細な説明】
【０００１】
【発明の属する技術分野】
本発明は、平面型スピーカ、平面型マイクロホン、マイクロホンとしても使用可能な平面型スピーカ等の平面型音響変換装置に係り、特に、ダイヤフラムの面積を大型化することを可能とする平面型音響変換装置に関する。
【０００２】
【従来の技術】
図１１は、従来の平面型スピーカの基本構成を示す断面図である。
【０００３】
図１１（Ｂ）に示すように、従来の平面型スピーカにおいて、磁性体からなる一方のヨーク１３２には、ヨーク１３２の一辺に沿った方向に、極性が交互に反転するように所定間隔隔てて隣り合うように配置れた複数の永久磁石Ｍから成る複数の磁石列が設けられている。
【０００４】
この複数の永久磁石列は、列内における永久磁石Ｍを隔てた間隔の２倍の間隔を隔てて配置されており、隣り合う磁石列の対応する永久磁石Ｍは同じ極性になっている。
【０００５】
また、磁性体からなる他方のヨーク１２２には、ヨーク１３２の磁石列の中間部分に対向する部位に、ヨーク１３２の磁石列と平行な方向に複数の永久磁石ｍを永久磁石Ｍの間隔と同一間隔隔てて構成した複数の磁石列が固定されている。
【０００６】
この磁石列の永久磁石ｍの極性は、ヨーク１３２に設けられた磁石列と反対の順序に配列され、スピーカとして組み付けたときに永久磁石ｍに最も近い永久磁石Ｍの磁極面の極性と反対の極性になるように配列されている。
【０００７】
図１１（Ａ）に示すように、ヨーク１２２とヨーク１３２との間には、ダイヤフラム１２６が配置されている。
【０００８】
ダイヤフラム１２６には、永久磁石ｍ、Ｍの各々に対応させて、渦巻き状に形成されかつ表裏両面に配置された１対のコイルからなるコイル対１２８が複数個配列して構成したコイル群が配置されている。
【０００９】
この平面スピーカは、対面するヨーク同士を接続しなくても磁路を形成することができるので、製造コストを安くできる特徴を有している。
【００１０】
なお、最も距離が近い永久磁石ｍ、Ｍ間の領域の磁界Ｈは、ダイヤフラム面と略平行な方向を向いており、かつコイル対１２８に鎖交している。
【００１１】
コイル対１２８に所定方向の電流Ｉを通電すると、隣り合うコイル対１２８の隣接した内周から外周にわたる部分同士には同じ方向の電流が流れ、全てのコイル対１２８が同じ方向でかつダイヤフラムの膜面に垂直な方向の力Ｆを受けるようになっており、ダイヤフラム１２６は膜面に垂直な方向に変位する。
【００１２】
従って、発生させたい音響を表す電気信号をコイル対１２８に通電することにより、ダイヤフラム１２６は電気信号に応じて振動し、音響信号を発生する。
【００１３】
【発明が解決しようとする課題】
しかしながら、上記従来の平面型スピーカでは、図１１（Ｂ）または図１１（Ｃ）に示すように、ヨーク１３２においては永久磁石ＭのＮ極の数とＳ極の数、ヨーク１２２においては永久磁石ｍのＮ極の数とＳ極の数とが各々アンバランスであるため磁束漏れが大きい、という問題がある。
【００１４】
そこで、磁束漏れを少なくするために、図１２に示すように、ヨーク１２２に、Ｎ極とＳ極と交互に設けられた第１の磁石列１２３と、第１の磁石列とは互いに隣接する磁極が異なる第２の磁石列１２４と、から構成される第１の磁石群１２５を所定の間隔で設け、ヨーク１３２にはＮ極とＳ極と交互に設けられた第３の磁石列１２９と、第３の磁石列とは互いに隣接する磁極が異なる第４の磁石列１３０と、から構成される第２の磁石群１３３を所定の間隔で設け、各ヨークにおいてＮ極の数とＳ極の数をバランスさせ、磁束漏れを小さくする構成が考えられている。
【００１５】
他方、平面スピーカは、減衰の少ない平面波の音を出力するので、近い位置でうるさく感じることがなく、かつ離れた位置であっても近い位置とほぼ同様に鮮明な音を聞くことができる、という特徴を有している。
【００１６】
このため、教室、ホール等で、遠くの位置まで音を伝達させたい場合に好適である。
【００１７】
しかし、平面スピーカは、大きな音を遠方に伝達したい場合や、低音の再生限界を下げるためには、それなりに振動板の面積を大きくする必要があるが、振動板の面積を大きくするに伴ってヨークの面積も大きくなる。
【００１８】
しかしながら、図１２に示す構造の平面スピーカでは、ヨーク面積が大きくなると、以下のような問題が発生することが判明した。
【００１９】
即ち、図１２に示すように、この平面スピーカでは、ヨーク１２２の永久磁石Ｍがヨーク１３２と対向しており、ヨーク１３２の永久磁石Ｍがヨーク１２２と対向しているため、ヨーク１２２及び１３２には対向する永久磁石Ｍの吸引力が作用する。
【００２０】
このため、ヨーク１２２、１３２を大きくすると、永久磁石Ｍの数の増加に伴って吸引力が増大し、増大した吸引力によってヨーク１２２、１３２が湾曲してしまう。
【００２１】
ヨーク１２２、１３２の湾曲を抑えるためには、ヨーク１２２、１３２を厚くする方法が考えられるが、平面スピーカの重量及び厚みが増加する問題がある。
【００２２】
このため、ヨーク１２２、１３２の大型化には限界があった。
【００２３】
なお、永久磁石Ｍの力を弱くする、永久磁石Ｍと対向するヨーク１２２、１３２との間隔を広げる等では、効率の悪化を招くだけである。
【００２４】
本発明は上記従来の問題点を解消するために成されたもので、ヨークの湾曲を抑え、大型化が可能な平面型音響変換装置を提供することを目的とする。
【００２５】
【課題を解決するための手段】
請求項１に記載の発明は、平板状に形成された磁性体からなる第１のヨークと、  前記第１のヨークと間隔を開けて平行に配置され平板状に形成された磁性体からなる第２のヨークと、前記第１のヨークと前記第２のヨークとの間に平行に配置されるダイヤフラムと、前記第１のヨークのダイヤフラム側に配置され、磁極を前記ダイヤフラム側に向けると共にＮ極とＳ極とが第１の方向に沿って交互に設けられた第１の磁石列と、前記第１の磁石列と平行に設けられ磁極を前記ダイヤフラム側に向けると共にＮ極とＳ極とが前記第１の方向に沿って交互に設けられ、かつ前記第１の磁石列とは互いに隣接する磁極が異なる第２の磁石列と、から構成される第１の磁石群と、前記第２のヨークのダイヤフラム側に配置され、磁極を前記ダイヤフラム側に向けると共にＮ極とＳ極とが前記第１の方向に沿って交互に設けられた第３の磁石列と、前記第３の磁石列と平行に設けられ磁極を前記ダイヤフラム側に向けると共にＮ極とＳ極とが前記第１の方向に沿って交互に設けられ、かつ前記第３の磁石列とは互いに隣接する磁極が異なる第４の磁石列と、から構成され、前記第１の磁石群の前記第１の方向とは直交する方向に接近して設けられる第２の磁石群と、前記ダイヤフラムに設けられ、前記第１の磁石群及び前記第２の磁石群の互いに隣接するＮ極とＳ極との間の磁界の方向と交差する方向に延びる導体と、前記第１のヨーク及び前記第２のヨークの少なくとも一方に設けられ、前記ダイヤフラムが振動して発生する音を通過させる貫通孔と、を備えた平面型音響変換装置であって、前記第１のヨーク及び前記第２のヨークの少なくとも一方には、前記第１の磁石群、及び前記第２の磁石群の少なくとも一方と対向して配置され、前記第１の磁石群のＮ極とＳ極、及び前記第２の磁石群のＮ極とＳ極の少なくとも１つと対向して反発力を得る反発用磁石が設けられている、ことを特徴としている。
【００２６】
次に、請求項１に記載の平面型音響変換装置の作用を説明する。
【００２７】
第１のヨークの片面には、磁極をダイヤフラム側に向けると共にＮ極とＳ極とが第１の方向に沿って交互に設けられた第１の磁石列と、第１の磁石列と平行に設けられ磁極をダイヤフラム側に向けると共にＮ極とＳ極とが前記第１の方向に沿って交互に設けられ、第１の磁石列とは互いに隣接する磁極が異なる第２の磁石列と、から構成される第１の磁石群が設けられている。
【００２８】
即ち、第１の磁石群は、所定の方向に長く形成され、かつ、Ｎ極とＳ極とが千鳥状に配列されている。
【００２９】
同様に、第２のヨークの片面には、磁極をダイヤフラム側に向けると共にＮ極とＳ極とが前記第１の方向に沿って交互に設けられた第３の磁石列と、第３の磁石列と平行に設けられ磁極をダイヤフラム側に向けると共にＮ極とＳ極とが前記第１の方向に沿って交互に設けられ、第３の磁石列とは互いに隣接する磁極が異なる第４の磁石列と、から構成される第２の磁石群が設けられている。
【００３０】
即ち、第２の磁石群も、所定の方向に長く形成され、かつ、Ｎ極とＳ極とが千鳥状に配列されている。
【００３１】
また、第２の磁石群は、第１の磁石群の所定方向とは直交する方向に接近して設けられており、第１の磁石列とは互いに隣接する磁極が異なっている。
【００３２】
このため、ダイヤフラムから第１のヨーク及び第２のヨークを見ると、第１のヨーク及び第２のヨークの全面に渡ってＮ極とＳ極とが千鳥状となり、互いに隣接するＮ極とＳ極の間の磁界は、ダイヤフラム面と略平行な方向を向く。
【００３３】
この第１のヨークと第２のヨークとの間に配置されるダイヤフラムには、互いに隣接するＮ極とＳ極との間の磁力線と交差する方向に延びるコイルが設けられているため、コイルに通電すると、電流が磁界から受ける力の方向はダイヤフラム面に略直交する方向となり、これによりダイヤフラムをダイヤフラムの面に対して直交方向に振動させることができる。
【００３４】
なお、ダイヤフラムが振動して発生した音は、第１のヨーク及び第２のヨークの少なくとも一方に設けられた貫通孔を通過して放射される。
【００３５】
ここで、第１の磁石群は第２のヨークの第２の磁石群の配置されていない部位と対向しており、第２磁石群は第１のヨークの第１磁石群の配置されていない部位と対向しているため、第１の磁石群は第２のヨークを吸着し、第２磁石群は第１のヨークを吸着しようとするが、反発用磁石が第１の磁石群のＮ極とＳ極、及び前記第２の磁石群のＮ極とＳ極の少なくとも一方と対向して反発力を発生するので、第１の磁石群及び第２の磁石群の磁力による第１のヨーク及び第２のヨークの湾曲を抑えることができ、第１のヨーク、第２のヨーク及びダイヤフラムの面積を大きくすることが可能となる。
【００３６】
請求項２に記載の発明は、請求項１に記載の平面型音響変換装置において、  前記反発用磁石は、前記第１のヨーク及び前記第２のヨークの少なくとも一方の略中央部分に複数設けられている、ことを特徴としている。
【００３７】
次に、請求項２に記載の平面型音響変換装置の作用を説明する。
【００３８】
第１の磁石群及び第２の磁石群の磁力によって第１のヨーク及び第２のヨークは中央部分が最も接近するように湾曲するため、第１のヨーク及び第２のヨークを湾曲させないためには、外周付近よりも中央部分に反発用磁石を複数設けることが効果的となる。即ち、反発用磁石の数を最小限に抑えることができる。
【００３９】
【発明の実施の形態】
以下、図面を参照して平面型音響変換装置としての平面スピーカの一例を詳細に説明する。
【００４０】
図１に示すように、本実施形態の平面スピーカ１０は、第１のヨーク１２、スペーサ１４、ダイヤフラム１６、スペーサ１８、第２のヨーク２０を順に備えている。
【００４１】
図２に示すように、第１のヨーク１２は磁性体からなり、図面のＹ方向に長い矩形の平板状に形成されている。
【００４２】
図２及び図３に示すように、第１のヨーク１２のダイヤフラム側の面には、Ｓ極をダイヤフラム側に向けた４角形の永久磁石Ｍと、Ｎ極をダイヤフラム側に向けた永久磁石ＭとがＹ方向と直交する方向であるＸ方向に一定の間隔で交互に配置された第１の磁石列２２及び第２の磁石列２４の２列の磁石列からなる第１の磁石群２６が、Ｙ方向に一定の間隔を開けて複数列（本実施形態では８列）設けられている。
【００４３】
図２に示すように、第１の磁石列２２の永久磁石Ｍのダイヤフラム側の磁極面と、これに隣接する第２の磁石列２４の永久磁石Ｍのダイヤフラム側の磁極面とは、極性（図中Ｓ，Ｎ）が異なっている。
【００４４】
図４に示すように、第２のヨーク２０は磁性体からなり、図面のＹ方向に長い矩形の平板状に形成されている。
【００４５】
図３及び図４に示すように、第２のヨーク２０のダイヤフラム側の面には、Ｓ極をダイヤフラム側に向けた４角形の永久磁石ＭとＮ極をダイヤフラム側に向けた永久磁石ＭとがＹ方向と直交する方向であるＸ方向に一定の間隔で交互に配置された第３の磁石列２８及び第４の磁石列３０の２列の磁石列からなる第２の磁石群３２が、Ｙ方向に一定の間隔を開けて複数列（本実施形態では７列）設けられている。
【００４６】
図４に示すように、第３の磁石列２８の永久磁石Ｍのダイヤフラム側の磁極面と、これに隣接する第４の磁石列３０の永久磁石Ｍのダイヤフラム側の磁極面とは、極性（図中Ｓ，Ｎ）が異なっている。
【００４７】
図３に示すように、第１の磁石群２６と、第２の磁石群３２とは、Ｙ方向に一定の間隔をおいて配置されており、第１の磁石群２６の永久磁石Ｍのダイヤフラム側の磁極面と、これに隣接する第２の磁石群３２の永久磁石Ｍのダイヤフラム側の磁極面とは、極性が異なっている。
【００４８】
また、第１の磁石群２６の各永久磁石Ｍの各磁極面は、第２のヨーク２０の永久磁石Ｍの配置されていない部分と対向しており、第２の磁石群３２の各永久磁石Ｍの各磁極面は、第１のヨーク１２の永久磁石Ｍの配置されていない部分と対向している。
【００４９】
なお、第１の磁石群２６の永久磁石Ｍと、第２の磁石群３２の永久磁石Ｍとは、矢印Ｙ方向及び矢印Ｘ方向に各々等間隔に配置されている。
【００５０】
図２及び図５に示すように、第１のヨーク１２のダイヤフラム側の面の中央付近には、第１の磁石群２６の間に、磁極面をダイヤフラム側に向けた４角形の反発用永久磁石ＲＭが各々４個づつ配置されている。
【００５１】
これらの反発用永久磁石ＲＭは、第２のヨーク２０の永久磁石Ｍと対向する位置に配置され、かつ、ダイヤフラム側の極性が、これと対向する第２のヨーク２０の永久磁石Ｍの磁極と同極に設定されており、反発用永久磁石ＲＭとこれに対向する第２のヨーク２０の永久磁石Ｍとが互いに反発し合うようになっている。
【００５２】
なお、図２及び図４に示すように、第１のヨーク１２及び第２のヨーク２０には、各々マトリックス状に多数の孔３３が形成されている。
【００５３】
図１，３，５に示すように、第１のヨーク１２と第２のヨーク２０との間には、スペーサ１４及びスペーサ１８を介してダイヤフラム１６が配置されている。
【００５４】
スペーサ１４及びスペーサ１８は、各々矩形の枠形状であり、スペーサ１４及びスペーサ１８によってダイヤフラム１６の外周付近が挟持されている。
【００５５】
図１，２，４，６に示すように、第１のヨーク１２には外周に沿って複数のネジ孔１２Ａ及び孔１２Ｂが、スペーサ１４には外周に沿って複数の孔１４Ａが、ダイヤフラム１６には外周に沿って複数の孔１６Ａが、スペーサ１８には外周に沿って複数の孔１８Ａが、第２のヨーク２０には外周に沿って孔２０Ａが形成されている。
【００５６】
図３及び図５に示すように、第２のヨーク２０、スペーサ１８、ダイヤフラム１６、スペーサ１４、及び第１のヨーク１２は、孔２０Ａ、孔１８Ａ、孔１６Ａ、及び孔１４Ａ（図３及び図５では孔は図示せず）を挿通したネジ３４がネジ孔１２Ａにねじ込まれることによって一体的に固定されている。
【００５７】
なお、第１のヨーク１２の孔１２Ｂは、取り付け用として用いられる。
【００５８】
ダイヤフラム１６は、スペーサ１４及びスペーサ１８によって、永久磁石Ｍ、及び反発用永久磁石ＲＭの各磁極面から一定寸法離間している。
【００５９】
ダイヤフラム１６は、ポリイミドやポリエチレンテレフタレート等の高分子フィルム等で構成されている。
【００６０】
本実施形態のダイヤフラム１６の有効振動板面積は、約２００ｍｍ×約３００ｍｍとなっている。
【００６１】
図６に示すように、このダイヤフラム１６の片面には、Ｘ方向の中央部を挟んで両側の領域に、各々第１の導体３６、及び第２の導体３８を備えている。
【００６２】
図７には、第１の導体３６、及び第２の導体３８のパターンが模式的に示されている。
【００６３】
図７，８に示すように、第１の導体３６、及び第２の導体３８は、互いに平行であり、図８に示すように、各々永久磁石Ｍの外周付近、及び永久磁石Ｍと永久磁石Ｍとの間に配置され、Ｙ方向の一方側から他方側に向けて磁石列の長手方向（矢印Ｙ方向）に沿ってジグザグ状に延びている。
【００６４】
図７、９に示すように、この第１の導体３６と第２の導体３８とは、同じ方向に電流が流れるように（電流の向きは図７中に図示）接続されている。
【００６５】
第１の導体３６と第２の導体３８とは、図７に示すように直列に接続しても良く、並列に接続しても良い。
【００６６】
何れにしても、第１の導体３６と第２の導体３８とでは同じ方向に電流が流れるようにアンプ（図示せず）と接続する。
【００６７】
このような第１の導体３６及び第２の導体３８は、ダイヤフラム１６に、銅やアルミニュームの金属薄膜をラミネート、蒸着、接着等の方法で形成し、この金属薄膜をエッチングすることにより構成することができる。
【００６８】
なお、図８に示すように、第１の導体３６及び第２の導体３８には、矢印Ｘ方向に直線状に延びる幅広部分と、矢印Ｙ方向に直線状に延びる幅広部分の各々の幅方向中央部分には、導体の延び方向（磁界の向きと直交する方向）に沿って金属薄膜の設けられていない細長領域４０が設けられて導体が並列に２分割されている。
【００６９】
これにより、周波数の高い電流が流れた際に発生する渦電流を抑えることが出来る。なお、上記導体の分割数は３分割以上であっても良い。
【００７０】
また、第１の導体３６及び第２の導体３８の矢印Ｘ方向に直線状に延びる幅広部分と、矢印Ｙ方向に直線状に延びる幅広部分は、各々永久磁石Ｍの辺に対して平行である。
【００７１】
また、矢印Ｘ方向に直線状に延びる幅広部分と、矢印Ｙ方向に直線状に延びる幅広部分とは、最短距離で接続されている。
【００７２】
ちなみに、本実施形態の第１の導体３６のパターンの幅、及び第２の導体３８のパターンの幅は、各々細い部分で約１ｍｍ、太い部分で約２ｍｍである。
（作用）
次に、本実施形態の平面スピーカ１０の作用を説明する。
【００７３】
図７，９に示すように第１の導体３６及び第２の導体３８に電流Ｉ（向きは矢印で図示）を流すと、第１の導体３６及び第２の導体３８には、フレミングの左手の法則により磁界Ｈの方向及び電流Ｉと直交する方向の力（電磁力）Ｆ（この場合、力Ｆの方向は第２のヨーク２０側）が作用する。
【００７４】
また、第１の導体３６及び第２の導体３８に図７，９の場合とは反対向きに電流Ｉを流すと、第１の導体３６及び第２の導体３８には、第１のヨーク１２側へ変位する力Ｆが作用する。
【００７５】
したがって、第１の導体３６及び第２の導体３８に、発生させたい音響を表す電気信号を流すことにより、第１の導体３６及び第２の導体３８を設けたダイヤフラム１６は、流された電気信号に応じて振動する。
【００７６】
ダイヤフラム１６の振動により生じた音は、第１のヨーク１２及び第２のヨーク２０に形成された孔３３を通過してヨーク外側へ放射される。
【００７７】
なお、ダイヤフラム１６は、平面状であり、膜面に対して垂直方向に振動するので、ダイヤフラム１６から放射される音は平面波である。
【００７８】
また、本実施形態では、第１のヨーク１２及び第２のヨーク２０において、隣り合う永久磁石Ｍの極性を交互に設定し、ヨーク側のＮ極の数とＳ極の数とを同数としたので、磁束の漏れを少なくできる。このため、別途磁気シールドを設ける必要がない。
【００７９】
ここで、第１のヨーク１２の永久磁石Ｍは第２のヨーク２０の永久磁石Ｍの配置されていない部位と対向しており、第２のヨーク２０の永久磁石Ｍは第１のヨーク１２の永久磁石Ｍの配置されていない部位と対向しているため、第１のヨーク１２の永久磁石Ｍは第２のヨーク２０を吸着し、第２のヨーク２０の永久磁石Ｍは第１のヨーク１２を吸着し、これにより第１のヨーク１２及び第２のヨーク２０を湾曲させようとするが、第１のヨーク１２の中央付近に設けた反発用永久磁石ＲＭが第２のヨーク２０の永久磁石Ｍと対向して吸着力と反対向きの力である反発力を発生するので、第１のヨーク１２及び第２のヨーク２０の湾曲を抑えることができる。
【００８０】
このため、本実施形態の平面スピーカ１０は、第１のヨーク１２、第２のヨーク２０及びダイヤフラム１６の各々の面積を従来品よりも大きくすることができ、これにより出力を大きくできる。
【００８１】
また、ダイヤフラム１６の面積を大きくして低域の再生限界を下げることができるので、例えば、マルチウェイスピーカシステムのウーファーとして使用することも出来る。
【００８２】
なお、本実施形態では、第１の磁石群２６及び第２の磁石群３２が、複数の永久磁石Ｍを所定の間隔で配置して構成したものであったが、これら第１の磁石群２６及び第２の磁石群３２を、それぞれ図１０に示すようなＳ極とＮ極とを千鳥状に着磁した一本の長い永久磁石４２としても良い。
【００８３】
また、本実施形態では、反発用永久磁石ＲＭを第１のヨーク１２に設けたが、第２のヨーク２０に設けても良い。
【００８４】
また、本実施形態のダイヤフラム１６には、第１の導体３６、及び第２の導体３８が各々２つづつ設けられているため、これらを並列または直列に接続することで、平面スピーカ１０のユニットとしてのインピーダンスを種々変更することが出来る。
【００８５】
また、第１の導体３６のパターンの幅、及び第２の導体３８のパターンの幅は、１〜２ｍｍ程度であり、従来の平面スピーカの導体の幅（例えば、２００μｍ）に対して極めて幅広に設定されている。
【００８６】
このため、エッチングによるパターンの幅のバラツキ（例えば、±２０μｍ）の影響を受ける割合が非常に少なく、抵抗のバラツキを少なくできる。
【００８７】
また、本実施形態の平面スピーカ１０は、マイクロフォンとしても使用可能である。
【００８８】
【発明の効果】
以上説明したように、請求項１に記載の平面型音響変換装置によれば、ヨークの湾曲を抑えつつ、大型化を図ることができる、という優れた効果を有する。
【００８９】
また、請求項２に記載の平面型音響変換装置によれば、反発用磁石の数を最小限に抑えることができる、という優れた効果を有する。
【図面の簡単な説明】
【図１】本発明の平面スピーカを示す分解斜視図である。
【図２】第１のヨークの平面図である。
【図３】図１の３−３線断面図である。
【図４】第２のヨークの断面図である。
【図５】図１の５−５線断面図である。
【図６】ダイヤフラムの断面図である。
【図７】第１の導体及び第２の導体の模式図である。
【図８】第１の導体及び第２の導体の部分拡大図である。
【図９】平面スピーカの一部分を断面にした模式的図である。
【図１０】他の実施形態に係る平面スピーカの永久磁石の平面図である。
【図１１】（Ａ）は従来の平面スピーカの断面図であり、（Ｂ）は従来の平面スピーカの一方のヨークの平面図であり、（Ｃ）は従来の平面スピーカの他方のヨークの平面図である。
【図１２】（Ａ）は従来の他の平面スピーカの断面図であり、（Ｂ）は従来の他の平面スピーカの一方のヨークの平面図であり、（Ｃ）は従来の他の平面スピーカの他方のヨークの平面図である。
【符号の説明】
１０    平面スピーカ
１２    第１のヨーク
１６    ダイヤフラム
２０    第２のヨーク
２２    第１の磁石列
２４    第２の磁石列
２６    第１の磁石群
２８    第３の磁石列
３０    第４の磁石列
３２    第２の磁石群
３３    貫通孔
３６    第１の導体
３８    第２の導体
４０    細長領域
Ｍ      永久磁石
ＲＭ    反発用永久磁石
【図１】
0004588944.tif 000002
【図２】
0004588944.tif 000003
【図３】
0004588944.tif 000004
【図４】
0004588944.tif 000005
【図５】
0004588944.tif 000006
【図６】
0004588944.tif 000007
【図７】
0004588944.tif 000008
【図８】
0004588944.tif 000009
【図９】
0004588944.tif 000010
【図１０】
0004588944.tif 000011
【図１１】
0004588944.tif 000012
【図１２】
0004588944.tif 000013